(57)【要約】【課題】パチンコ遊技機内の狭いスペースに設置可能で、しかも低音を充分に再生し得るスピーカボックスを形成することで、パチンコ遊技機の音響特性を向上させる。【解決手段】前側ケース部材２６と後側ケース部材２７とに２分割されたプラスチック製のケース部材を組み合わせることにより形成されるバスレフ型のスピーカボックス２５であって、該スピーカボックスを内枠１２の前面に設けられた打球発射装置２２と遊技球案内樋２３等との間の余剰空間に倣って外周縁を象ることにより可及的に大きな容積を持つものに形成し、該スピーカボックス内に吸音材３４を配置するとともに、前側ケース部材にスピーカ２９を固着し、該スピーカボックスを前記余剰空間に収まるように内枠の前面にビス３７により固着することにより該スピーカを前面下部板６の球受皿７内に対向するように構成した。【選択図】　図３
2004081595.tif 000002
【特許請求の範囲】
【請求項１】
前側ケース部材と後側ケース部材とに２分割されたプラスチック製のケース部材を組み合わせることにより形成されるバスレフ型のスピーカボックスであって、該スピーカボックスを内枠の前面に設けられた打球発射装置と遊技球案内樋等との間の余剰空間に倣って外周縁を象ることにより可及的に大きな容積を持つものに形成し、該スピーカボックス内に吸音材を配置するとともに、前側ケース部材にスピーカを固着し、該スピーカボックスを前記余剰空間に収まるように内枠の前面にビスにより固着することにより該スピーカを前面下部板の球受皿内に対向するように構成したことを特徴とするパチンコ遊技機の音響装置。
【発明の詳細な説明】
【０００１】
【発明の属する技術分野】
本発明は、効果音等を再生するためにパチンコ遊技機に設けられる音響装置であって、特に低音が再生可能なるように構成したものに関する。
【０００２】
【従来の技術】
パチンコ遊技機においても他の遊技機においてもゲームの雰囲気を盛り上げ、迫力を持たせるために、音響効果は重要であり、特に低音の再生は欠かせないものである。しかしながら従来のパチンコ遊技機では低音再生が可能な大型のスピーカを付け得るようなスペースはなく、小型のスピーカを単に前面枠体等に固着しただけのものであったので、低音を再生する能力に乏しい状況であった。
【０００３】
【発明が解決しようとする課題】
そこで本発明は、パチンコ遊技機内の狭いスペースに設置でき、かつ低音を充分に再生し得るスピーカボックスを形成することで、パチンコ遊技機の音響特性を向上しようとするものである。
【０００４】
【課題を解決するための手段】
そのために本発明に係るパチンコ遊技機の音響装置は、前側ケース部材と後側ケース部材とに２分割されたプラスチック製のケース部材を組み合わせることにより形成されるバスレフ型のスピーカボックスであって、該スピーカボックスを内枠の前面に設けられた打球発射装置と遊技球案内樋等との間の余剰空間に倣って外周縁を象ることにより可及的に大きな容積を持つものに形成し、該スピーカボックス内に吸音材を配置するとともに、前側ケース部材にスピーカを固着し、該スピーカボックスを前記余剰空間に収まるように内枠の前面にビスにより固着することにより該スピーカを前面下部板の球受皿内に対向するように構成したことを特徴とする。
【０００５】
【発明の実施の形態】
次に本発明の実施の形態を図面に基づき説明する。図１は本発明が適用されるパチンコ遊技機の正面図で、１は窓孔２に遊技盤３が配設されたガラス扉枠、４は該ガラス扉枠の下に設けられ前面に発射用のパチンコ球を供給する球受皿（上皿）５が形成された前面下部板、６は該前面下部板のさらに下部に設けられ前面に該球受皿５から溢れたパチンコ球が貯留される球受皿（下皿）７が設けられ右端部には打球発射ハンドル８が設けられた前面下部板である。なお、ガラス扉枠１の表面は火山の噴火口を想起させる凹凸状の意匠が施されている。１０，１１は該ガラス扉枠１の上部左右に設けられたスリット状の透孔で、該透孔の裏側に夫々小型スピーカが設けられている。
【０００６】
上記前面下部板４および前面下部板６は図２，図３に示したように鉄板製の内枠１２の一側に蝶番１３，１４により開閉可能にヒンジされたもので、前面板下部６には球受皿７内に対向する開口１５に樹脂製のグリル１６が止枠１７，ビス１８により止着される。
【０００７】
また、内枠１２の前面下部には、図６にも示したように前記球受皿５上のパチンコ球を１個ずつ発射レールに供給するための球供給機構２０および打球打撃槌２１等からなる打球発射装置２２が設けられるほか、前記球受皿５から溢れたパチンコ球を球受皿７に導く遊技球案内樋２３等が設けられている。なお、２４は内枠１２に開設された電線貫通用開孔である。
【０００８】
２５は前側ケース部材２６と後側ケース部材２７とに２分割されたプラスチック製のケース部材を組み合わせることにより形成されるスピーカボックスであって、該スピーカボックスは内枠１２の前記打球発射装置２２と遊技球案内樋２３等との間の余剰空間に倣って外周縁を象ることにより可及的に大きな容積を持つものに形成している。そして前側ケース部材２６に形成された開口２８にスピーカ２９がパンチングメタル３０とともにビス３１により固着される。また、図４，図５に示したように、前側ケース部材２６の内面には先端部が後側ケース部材２７の内面と僅かな隙間をもって相対するダクト３２が一体に形成され、該ダクトを通して主として低音が反射，増幅されるバスレフ型（低音反射型）のスピーカボックスを構成している。なお、３３は該ダクト３２内に充填された吸音材、３４は該スピーカボックス２５内に配置された吸音材である。そして該スピーカボックス２５は、前記余剰空間に収まるように後側ケース部材２７の背面に突設された位置決ボス３５を内枠１２に開設された透孔３６に合致させ、ビス３７を螺子孔３８に螺着することにより内枠１２に固着され、前記前面下部板６を閉じたとき該スピーカ２９が前記グリル１６に対向するようにしている。
【０００９】
このように構成したパチンコ遊技機の音響装置では、スピーカ２９および前記ガラス扉枠１に設けられた一対の小型スピーカに効果音発生装置より音声信号が印加され、遊技中に種々の効果音を再生する。そして、スピーカ２９がバスレフ型のスピーカボックス２５に設けられていることから、例えば火山噴火時の爆音等の重低音を含んだ効果音がリアルに再生される。そして該スピーカ２９は球受皿７内に対向しているので、時としては該球受皿７内にあるパチンコ球をも微振動させ、迫力ある場面を演出できる。
【００１０】
【発明の効果】
以上説明したように本発明に係る音響装置は、前側ケース部材と後側ケース部材とに２分割されたプラスチック製のケース部材を組み合わせることにより形成されるバスレフ型のスピーカボックスであって、該スピーカボックスを内枠の前面に設けられた打球発射装置と遊技球案内樋等との間の余剰空間に倣って外周縁を象ることにより可及的に大きな容積を持つものに形成し、該スピーカボックス内に吸音材を配置するとともに、前側ケース部材にスピーカを固着し、該スピーカボックスを前記余剰空間に収まるように内枠の前面にビスにより固着することにより該スピーカを前面下部板の球受皿内に対向するように構成したので、パチンコ遊技機内の狭いスペースでも低音を再生し得るスピーカボックスが形成され、幅広い音域による迫力ある効果音を再生できるようになり、パチンコ遊技の興趣が一段と高められる利点がある。
【図面の簡単な説明】
【図１】本発明に係るパチンコ遊技機の正面図。
【図２】本発明に係るパチンコ遊技機の音響装置の縦断面図。
【図３】本発明に係るパチンコ遊技機の前面下部板を開けた状態の斜視図。
【図４】本発明に係るスピーカボックスの斜視図。
【図５】本発明に係るスピーカボックスの縦断面図。
【図６】本発明に係るスピーカボックスの分解斜視図。
【符号の説明】
６　　　前面下部板
７　　　球受皿
１２　　内枠
２２　　打球発射装置
２３　　遊技球案内樋
２５　　スピーカボックス
２６　　前側ケース部材
２７　　後側ケース部材
２９　　スピーカ
３０　　パンチングメタル
３２　　小ダクト
３４　　吸音材
３７　　ビス
【図１】
2004081595.tif 000003
【図２】
2004081595.tif 000004
【図３】
2004081595.tif 000005
【図４】
2004081595.tif 000006
【図５】
2004081595.tif 000007
【図６】
2004081595.tif 000008